(57)【特許請求の範囲】
【請求項１】
器具本体と、器具本体に取り付けられる環型のランプと、器具本体から一体にアーム状に連出されたソケットと、環型のランプのランプ面と直交する方向に突出するようにランプ口金に設けたランプピンと、ランプピンが挿入接続されるようにソケットの先端部に設けたランプピン挿入穴とを備えた照明器具において、上記ソケットは先端面に複数のランプピン挿入穴を備えると共に内部に接触端子を有したコネクターと、コネクターを保持して器具本体に取り付けられるハウジングとからなり、コネクターの保持の遊び量がランプ接線方向に大きくなるようにするために、ハウジングのランプ接線方向の側面の下部に切り欠きを設けることでコネクターのランプ接線方向の側面のハウジング先端よりの突出量を、コネクターのランプ直径方向の側面のハウジング先端よりの突出量より大きくしたことを特徴とする照明器具。
【請求項２】
接触端子は導電板と弾性変形可能な接触片とからなり、ランプ接線方向に隣り合うランプ挿入穴では導電板がランプ直径方向に対して互いに向き合うように配置され、ランプ接線方向に対して略対称に接触片が設けられたことを特徴とする請求項１記載の照明器具。
【発明の詳細な説明】
【０００１】
【発明の属する技術分野】
本発明は、環型蛍光灯のような環型のランプを取り付けた照明器具の構造に関するものである。
【０００２】
【従来の技術】
従来のこの種の照明器具としては特開平１０−２４７５７１号公報や特開平１０−２４７５７３号公報に開示されるものがある。これは器具本体の反射板に沿わせて環型のランプを配置して取り付けられるようになっており、また環型のランプのランプ口金にランプ面と直交するようにランプピンを突設してあり、器具本体に反射板より僅かに突出するように取り付けたソケットにランプピン挿入穴が設けてあり、ランプピン挿入穴にランプピンを挿入して接続するようになっている。器具本体の反射板は平板状でランプ投影面と同等以上の大きさである。
【０００３】
【発明が解決しようとする課題】
かかる従来例では器具本体からソケットの先端面までの距離が短いと共にランプを反射板に沿わせて取り付ける構造のためにランプピンをランプピン挿入穴に挿入して接続するとき、ランプが傾いてもランプが反射板に当たってランプの傾きが矯正され、結果としてランプ口金をソケットに取り付ける際の傾きが小さくなり、ランプピンのランプピン挿入穴への挿入は比較的スムーズに行える。しかしながら、器具本体よりランプが離れて取り付けられる照明器具においては、ランプピンをランプピン挿入穴に挿入して接続するとき、ランプが器具本体の反射板等に当たらないので、ランプが傾かないようにガイドするものがなく、ランプが傾いたままランプ口金がソケットの先端面に押し付けられることが多く、ランプピンのランプピン挿入穴への挿入がスムーズに行えないと共にランプピン挿入穴内の接触端子を変形させるという問題がある。しかもランプピンがランプ口金の垂直方向に突出するように形成されるランプを取り付ける照明器具では、下方からランプピンが見えないので、ランプピン挿入穴へ狙いを定めにくく、ランプが傾いたままランプ口金がソケット先端面に押し付けられる危険性が高く、ランプピンのランプピン挿入穴への挿入がスムーズに行えないと共にランプピン挿入穴内の接触端子を変形させるという問題がある。
【０００４】
本発明は叙述の点に鑑みてなされたものであって、ランプが傾いた状態で装着されても不具合なく取り付けや電気接続が行える照明器具を提供するにある。
【０００５】
【課題を解決するための手段】
上記課題を解決するため本発明の照明器具は、器具本体１と、器具本体１に取り付けられる環型のランプ２と、器具本体１から一体にアーム状に連出されたソケット３と、環型のランプ２のランプ面と直交する方向に突出するようにランプ口金４に設けたランプピン５と、ランプピン５が挿入接続されるようにソケット３の先端部に設けたランプピン挿入穴６とを備えた照明器具において、上記ソケット３は先端面に複数のランプピン挿入穴６を備えると共に内部に接触端子７を有したコネクター８と、コネクター８を保持して器具本体１に取り付けられるハウジング９とからなり、コネクター８の保持の遊び量がランプ接線方向Ａに大きくなるようにするために、ハウジング９のランプ接線方向Ａの側面の下部に切り欠き１８を設けることでコネクター８のランプ接線方向Ａの側面のハウジング９先端よりの突出量Ｃを、コネクター８のランプ直径方向Ｂの側面のハウジング９先端よりの突出量Ｄより大きくしたことを特徴とする。上記のように構成したことにより、ソケット３のコネクター８のランプ接線方向Ａへの傾き得る遊びを大きくでき、ランプ２を装着するときランプ２が傾いてもこの傾きに追従してコネクター８を傾けることができ、ランプピン５のランプピン挿入穴６への挿入が容易にでき、ランプ２の取り付けや電気接続が容易にできる。またコネクター８とハウジング９とを別部品にしていることにより、ランプピン５の温度が上昇する場合も必要なコネクター８部分のみに耐熱性に優れる材料を採用できて合理的である。
【０００６】
また接触端子７は導電板７ａと弾性変形可能な接触片７ｂとからなり、ランプ接線方向Ａに隣り合うランプピン挿入穴６では導電板７ａがランプ直径方向Ｂに対して互いに向き合うように配置され、ランプ接線方向Ａに対して略対称に接触片７ｂが設けられたことを特徴とすることも好ましい。このようにしたことにより、ランプ直径方向Ｂに接触端子７の弾性変形可能な接触片７ｂが位置することになり、ランプ２が傾いた時にも、ランプピン５先端に接触片７ｂが当たりにくくて接触片の変形が生じにくい。また接触端子７の導電板７ａをランプ接線方向Ａに隣接する接触端子７の内側に配置することになり、ランプ２が傾いて取り付けられる時に、ランプピン５の先端が導電板７ａに当たっても変形しにくい。また導電板７ａがランプピン挿入ガイドとなり、挿入性が向上する。
【０００７】
【発明の実施の形態】
照明器具の器具本体１は内部に点灯回路等を内装して形成されており、図１に示すように電源コード１０にて天井等に吊り下げある。この器具本体１には器具本体１の上面側や外周を覆うセード１１を装着してある。丸型蛍光灯のような環型のランプ２は器具本体１の下方に器具本体から離れた位置で水平に配置され、器具本体１にソケット３やランプ支持ばね１２にて装着されている。ソケット３はアーム状であり、器具本体１から斜め下方に突出するように装着してある。ランプ支持ばね１２は板ばね材にて形成されており、器具本体１から斜め下方に突出するように装着してある。器具本体１には１つのソケット３と２つのランプ支持ばね１２が設けられるが、これらは周方向に３等分する位置に等間隔に設けられている。
【０００８】
ソケット３の先端部にはコネクター８が設けられており、ランプ２のランプ口金４をコネクター８に電気的に接続することができるようになっている。ソケット３の先端でランプ直径方向Ｂの両側には板ばね材からなる係止ばね１３を設けてあり、ランプ口金４とコネクター８とを接続したとき係止ばね１３をランプ２に係止してランプ２を保持できるようになっている。ランプ支持ばね１２の先端にはランプ嵌合部１４を設けてあり、このランプ嵌合部１４内にランプ２を弾性的に嵌入することでランプ２が保持されるようになっている。ランプ２にはランプ口金４を設けてあるが、このランプ口金４にはソケット３のコネクター８を挿入し得る凹所１５を設けてあり、この凹所１５内にはランプ面に対して直交する方向に突出するようにランプピン５を装着してある。本例の場合、４つのランプピン５が矩形の角部に位置するように設けてある。
【０００９】
ソケット３はアーム状のハウジング９とコネクター８とで構成されており、ハウジング９の先端部にコネクター８を装着してある。ハウジング９は一対のハウジング半体９ａ，９ｂにて構成され、一対のハウジング半体９ａ，９ｂを熱融着したり、ねじ結合したりすることにより組み立ててある。この一対のハウジング半体９ａ，９ｂを組み立てることによりコネクター８をハウジング９に取り付けることができるようになっている。ハウジング９には図４に示すように位置決め突起１６を設けてあり、この位置決め突起１６をコネクター８に係合して一対のハウジング半体９ａ，９ｂを組み立てることによりコネクター８の抜け止めをしてコネクター８をハウジング９に取り付けることができるようになっている。
【００１０】
コネクター８は耐熱性や絶縁性のある樹脂等で形成せる筐体１７にランプピン挿入穴６や導電材料の接触端子７を設けて形成されている。ランプピン挿入穴６はコネクター８の先端面に開口するように穿孔してあり、ランプピン挿入穴６内に接触端子７を装着してある。本例の場合、上記４本のランプピン５に対応するように４つのランプピン挿入穴６を設けてあり、各ランプピン挿入穴６に夫々接触端子７を配置してある。各接触端子７には器具本体１から導出してハウジング９内に挿通したリード線１８を接続してある。
【００１１】
ハウジング９の先端部には上記のようにコネクター８が装着されるが、コネクター８の先端面がハウジング９の先端面より突出するように装着される。これにより、ランプピン５をランプピン挿入穴６に挿入したとき、コネクター８の突出する部分がランプ口金４の凹所１５に嵌るようになっている。上記のようにコネクター８の先端面がハウジング９の先端面より突出するようにハウジング９にコネクター８が装着されるが、図２に示すようにコネクター８のランプ接線方向Ａの側面（ランプ接線方向Ａと直交する面）のハウジング９先端よりの突出量Ｃが、コネクター８のランプ直径方向Ｂの側面（ランプ直径方向Ｂと直交する面）のハウジング９先端からの突出量Ｄより大きくしてある。つまり、ハウジング９のランプ接線方向Ａの側面の下部に切り欠き１８を設けることでコネクター８のランプ接線方向Ａの側面の突出量Ｃを大きくしてある。これによりハウジング９へのコネクター８の保持の遊び量がランプ接線方向Ａに大きくなる。つまり、コネクター８がランプ接線方向Ａに傾きやすくなる。
【００１２】
ランプ２をソケット３に取り付けて電気的に接続する場合、ランプ口金４の凹所１５とコネクター８の先端とを対応させ、ランプ口金４をコネクター８の先端に押し付けることでランプピン５をランプピン挿入穴６に挿入すると共にランプピン５を接触端子７に接触させて電気的に接続し、またランプ２に一対の係止ばね１３を係止させて取り付けることができる。このようにランプ２を取り付けるときランプ２は一対の係止ばね１３にてガイドされてランプ２がランプ直径方向Ｂに位置ずれを生じない。ランプ２を取り付けるとき、図５に示すようにランプ２がランプ接線方向Ａに傾くことがあるが、このとき、コネクター８のランプ接線方向Ａの側面のハウジング９先端よりの突出量Ｃを大きくしてあるためにコネクター８がランプ接線方向Ａに傾きやすいためにランプ２の傾きに追従してコネクター８が傾き、ランプピン５をランプピン挿入穴６に対応させて挿入することができる。図５でαはランプ２の接線方向の傾き角度を示す。
【００１３】
上記のようにランプ２を取り付けることでき、ランプ２を装着するときランプ２がランプ接線方向Ａに傾いてもこの傾きに追従してコネクター８を傾けることができ、ランプピン５のランプピン挿入穴６への挿入が容易にでき、ランプ２の取り付けや電気接続が容易にできる。またコネクター８とハウジング９とを別部品にしていることにより、ランプピン５の温度が上昇する場合も必要なコネクター８部分のみに耐熱性に優れる材料を採用できて合理的である。
【００１４】
次に図６乃至図９の例について述べる。本例も上記例と基本的に同じであり、異なる点だけを主に述べる。ソケット３のコネクター８のランプピン挿入穴６には接触端子７が設けられるが、この接触端子７は図７に示すように平板状の導電板７ａと両側の断面円弧状の接触片７ｂとを一体に設けて形成されている。導電板７ａと接触片７ｂとは一体に繋がっているが、これらの間には長いスリット１９を設けてあり、図７の矢印Ｅのように接触片７ｂが弾性変形可能になっている。この接触端子７はランプピン挿入穴６に挿通して装着されるのであるが、ランプ接線方向Ａに隣り合うランプピン挿入穴６では導電板７ａがランプ直径方向Ｂに対して互いに向き合うように配置される。つまり、ランプ接線方向Ａに隣り合うランプピン挿入穴６では導電板７ａが互いに近接する内側に位置して平行に対向するように配置される。また上記のように接触端子７を装着することにより、各ランプピン挿入穴６ではランプ接線方向Ａに対して一対の接触片７ｂが対称に配置される。つまり、各ランプピン挿入穴６では一対の接触片７ｂがランプ接線方向Ａと平行な中心線に対して線対称に配置される。
【００１５】
このようにしたことにより、ランプ直径方向Ｂに接触端子７の弾性変形可能な接触片７ｂが位置することになり、ランプ２を取り付ける際に図８、図９に示すようにランプ２がが傾いた時にも、ランプピン５先端に接触片７ｂが当たりにくくて（接触片７ｂのない方向にランプピン５が当たって）接触片７ｂの変形が生じにくい。また接触端子７の導電板７ａをランプ接線方向Ａに隣接する接触端子７の内側に配置することになり、図８、図９のようにランプ２が傾いて取り付けられる時にも、ランプピン５の先端が導電板７ａに当たっても変形しにくい。またランプピン５をランプピン挿入穴６に挿入したとき、先ずランプピン５先端が図９のように導電板７ａに当たってガイドされ、導電板７ａがランプピン挿入ガイドとなり、挿入性が向上する。
【００１６】
【発明の効果】
本発明の請求項１の発明は、ソケットは先端面に複数のランプピン挿入穴を備えると共に内部に接触端子を有したコネクターと、コネクターを保持して器具本体に取り付けられるハウジングとからなり、コネクターの保持の遊び量がランプ接線方向に大きくなるようにするために、ハウジングのランプ接線方向の側面の下部に切り欠きを設けることでコネクターのランプ接線方向の側面のハウジング先端よりの突出量を、コネクターのランプ直径方向の側面のハウジング先端よりの突出量より大きくしたので、ソケットのコネクターのランプ接線方向への傾き得る遊びを大きくできるものであって、ランプを装着するときランプが傾いてもこの傾きに追従してコネクターを傾けることができ、ランプピンのランプピン挿入穴への挿入が容易にでき、ランプの取り付けや電気接続が容易にできるものであり、またコネクターとハウジングとを別部品にしているので、ランプピンの温度が上昇する場合も必要なコネクター部分のみに耐熱性に優れる材料を採用できて合理的にできるものである。
【００１７】
また本発明の請求項２の発明は、請求項１において、接触端子は導電板と弾性変形可能な接触片とからなり、ランプ接線方向に隣り合うランプピン挿入穴では導電板がランプ直径方向に対して互いに向き合うように配置され、ランプ接線方向に対して略対称に接触片が設けられたので、ランプ直径方向に接触端子の弾性変形可能な接触片が位置することになり、ランプが傾いた時にも、ランプピン先端に接触片が当たりにくくて接触片の変形が生じにくいものであり、また接触端子の導電板をランプ接線方向に隣接する接触端子の内側に配置することになり、ランプが傾いて取り付けられる時に、ランプピンの先端が導電板に当たっても変形しにくいものであり、また導電板がランプピン挿入ガイドとなり、挿入性が向上するものである。
【図面の簡単な説明】
【図１】本発明の実施の形態の一例の全体を示し、（ａ）は一部切欠正面図、（ｂ）は底面図である。
【図２】同上のソケットを示し、（ａ）は正面図、（ｂ）は側面図、（ｃ）は底面図である。
【図３】同上のソケットの一方のハウジング半体を外した状態の正面図である。
【図４】同上のハウジング半体の要部の斜視図である。
【図５】同上のランプの装着途中の状態を説明する側面図である。
【図６】（ａ）は同上の他の例のソケットの側面図、（ｂ）は（ａ）のコネクターの側面から見た断面図、（ｃ）はコネクターの底面図である。
【図７】同上の接触端子の斜視図である。
【図８】同上のランプ装着途中の状態を説明する側面図である。
【図９】図８の要部の一部省略断面図である。
【符号の説明】
１  器具本体
２  ランプ
３  ソケット
４  ランプ口金
５  ランプピン
６  ランプピン挿入穴
７  接触端子
７ａ  導電板
７ｂ  接触片
８  コネクター
９  ハウジング
【図１】
0003754629.tif 000002
【図２】
0003754629.tif 000003
【図３】
0003754629.tif 000004
【図４】
0003754629.tif 000005
【図５】
0003754629.tif 000006
【図６】
0003754629.tif 000007
【図７】
0003754629.tif 000008
【図８】
0003754629.tif 000009
【図９】
0003754629.tif 000010